(57)【要約】      （修正有）【課題】スマートフォンカバーの突起による指及び手のひらにツボ押し効果を与え、また、該突起によって滑り止め効果を得て、スマートフォンの落下を防ぐことができるスマートフォンカバーを提供する。【解決手段】少なくとも軟質の合成樹脂材のスマートフォンの側面と背面を覆うスマートフォンカバー１において、該側面に突起３を備えて該カバーを把持した際に指のツボ押し効果を得ることができる。【選択図】図１
0003212380.tif 000002
【実用新案登録請求の範囲】
【請求項１】
少なくとも軟質の合成樹脂材のスマートフォンの側面と背面を覆うスマートフォンカバーにおいて、該側面に突起を備えて該カバーを把持した際に指のツボ押し効果を得ることができることを特徴とするスマートフォンカバー。
【請求項２】
少なくとも軟質の合成樹脂材のスマートフォンの側面と背面を覆うスマートフォンカバーにおいて、該背面に突起を備えて該カバーを把持した際に指や手のひらのツボ押し効果を得ることができることを特徴とするスマートフォンカバー。
【請求項３】
表表紙の付いた手帳型の軟質の合成樹脂材のスマートフォンカバーにおいて、該表表紙の裏面に突起を備えて該表表紙を開いて把持した際に指や手のひらのツボ押し効果を得ることができることを特徴とするスマートフォンカバー。
【請求項４】
前記軟質の合成樹脂材が、シリコーン、イソプレンゴム、ブタジエンゴム、スチレン・ブタジエンゴム、ブチルゴム、エチレン・プロピレンゴム、シリコーンゴム又はエチレン・酢酸ビニルゴムであることを特徴とする請求項１又は２又は３に記載のスマートフォンカバー。
【考案の詳細な説明】
【技術分野】
【０００１】
本考案は、把持しているだけでツボ押し効果を有し、また、把持する際に、滑り止めになり、また、落下の際には、スマートフォンに対して落下の衝撃を緩和するスマートフォンカバーに関するものである。
【背景技術】
【０００２】
従来、スマートフォンを落下させてしまうと地面や床に落ちた衝撃で表示面が破損したり、コンピュータが故障したりしてしまうという問題が多くあった。
【０００３】
そこで、様々なスマートフォンカバーが発明されてきており、例えば、スマートフォンの破損を防止できると共に指や手首が無理な姿勢をせずに把持できるスマートフォンケースが先行技術として開示されている（文献１）。
【先行技術文献】
【特許文献】
【０００４】
【特許文献１】特開２０１３−２１５４６０号公報。
【考案の概要】
【考案が解決しようとする課題】
【０００５】
前記の先行技術は、スマートフォンの破損を防止できると共に指や手首に無理をさせずにスマートフォンを把持できる点で優れているが、長時間に亘りスマートフォンを把持する際に、単に、疲れずに持ち続けられるというだけでしかなく、それによって、健康維持のために効果的に使えないという問題があった。
【０００６】
そこで、上記の問題を解決するために、スマートフォンの落下による破損を防止できると共に、突起による指及び手のひらにツボ押し効果を与え、また、該突起によって滑り止め効果を得て、スマートフォンの落下を防ぐことができるスマートフォンカバーを考案して提供するものである。
【課題を解決するための手段】
【０００７】
本考案の請求項１に係るスマートフォンカバーは、少なくとも軟質の合成樹脂材のスマートフォンの側面と背面を覆うスマートフォンカバーにおいて、該側面に突起を備えて該カバーを把持した際に指のツボ押し効果を得ることができることを特徴とする。
【０００８】
本考案の請求項２に係るスマートフォンカバーは、少なくとも軟質の合成樹脂材のスマートフォンの側面と背面を覆うスマートフォンカバーにおいて、該背面に突起を備えて該カバーを把持した際に指や手のひらのツボ押し効果を得ることができることを特徴とする。
【０００９】
これらの構成を採用することによって、本考案に係るスマートフォンカバーは、スマートフォンに被せて使用し、そして、使用者が、スマートフォンカバーを把持した際に、スマートフォンカバーの側面や背面に備えられれた突起によって、指や手のひらにツボ押し効果が得られる。また、スマートフォン本体の機能を使用していない場合でも、肩、首、腰、手、腕、足等のツボをスマートフォンカバーの突起で押すツボ押し具とすることができる。また、本考案に係るスマートフォンカバーは、該突起によって指や手のひらが引っかかりやすくなるので、手を滑らせることによって発生する落下を防ぐことができる。
【００１０】
また、スマートフォンカバーは、軟質の合成樹脂材で構成されており、スマートフォンが落下した際の衝撃を吸収して、スマートフォンが破損、故障するのを防止できる。
【００１１】
また、本考案の請求項３に係るスマートフォンカバーは、表表紙の付いた手帳型の軟質の合成樹脂材のスマートフォンカバーにおいて、該表表紙の裏面に突起を備えて該表表紙を開いて把持した際に指や手のひらのツボ押し効果を得ることができることを特徴とするスマートフォンカバー。
【００１２】
この構成をとることによって、本考案に係る請求項３のスマートフォンカバーを開いて把持した際に、スマートフォンカバーの表表紙の裏面が外側になって、手のひらに接することになる。その際に、該表表紙の裏面に備えられた突起によって、指や手のひらにツボ押し効果が得られると共に、該突起によって指や手のひらが引っかかりやすくなるので、手を滑らせることによって発生する落下自体を防ぐことができる。また、突起は、軟質の合成樹脂材で構成されているので、スマートフォンの画面が傷つくのを防止できる。
【００１３】
また、本考案の請求項４にスマートフォンカバーは、請求項１又は２又は３に記載のスマートフォンカバーにおいて、前記軟質の合成樹脂材が、シリコーン、イソプレンゴム、ブタジエンゴム、スチレン・ブタジエンゴム、ブチルゴム、エチレン・プロピレンゴム、シリコーンゴム又はエチレン・酢酸ビニルゴムであることを特徴とする。
【００１４】
この構成をとることによって、スマートフォンの落下時に、衝撃を吸収してスマートフォンが破損、故障するのを防止できる。また、突起によって、指や手のひらのツボを押す際に、丁度良い刺激になって、適度なツボ押し効果が得られる。また、スマートフォンケースを把持した際に、滑り止め効果を発揮できる。
【考案の効果】
【００１５】
本考案に係る請求項１から４のスマートフォンカバーによれば、スマートフォンに被せて使用した際に、スマートフォンの落下時の衝撃を吸収して、スマートフォンが破損、故障するのを防止できる。また、スマートフォンカバーを把持した際に、スマートフォンカバーの側面や背面に備えられた突起によって、指先や手のひらにツボ押し効果が得られる。また、スマートフォン本体の機能を使用していない場合でも、肩、首、腰、手、腕、足等のツボをスマートフォンカバーの突起で押すツボ押し具とすることができる。また、本考案に係るスマートフォンカバーは、該突起によって指や手のひらが引っかかりやすくなるので、手を滑らせることによって発生する落下を防ぐことができる。また、手帳型スマートフォンカバーにおいては、軟質の突起によって、スマートフォンの画面が傷つくのを防止できる。
【図面の簡単な説明】
【００１６】
【図１】図１は、本考案を実施するための形態に係るスマートフォンカバーの模式的斜視図である。
【図２】図２は、本考案を実施するための形態に係るスマートフォンカバーの使用状態を示す模式的斜視図である。
【図３】図３は、本考案を実施するための別の形態に係るスマートフォンカバーの使用状態を示す模式的断面図である。
【考案を実施するための形態】
【００１７】
本考案に係るスマートフォンカバー１は、図１、図２、図３に示すように、少なくとも、合成樹脂製のカバー本体２と、該カバー本体２に備えられえたツボ押し突起（側面）３又はツボ押し突起（背面）４又はツボ押し突起（表表紙の裏面）６のいずれかと、から構成される。
【００１８】
カバー本体２は、例えば、シリコーン、イソプレンゴム、ブタジエンゴム、スチレン・ブタジエンゴム、ブチルゴム、エチレン・プロピレンゴム、シリコーンゴム又はエチレン・酢酸ビニルゴム等の軟質の合成樹脂材で構成されているので、本考案に係るスマートフォンカバー１を被せたスマートフォン１０を落下させてしまったとしても、地面や床に衝突した衝撃を吸収して、スマートフォン１０が破損したり故障したりするのを防止できる。
【００１９】
ツボ押し突起（側面）３は、カバー本体２の４つの側面に一体として備えられている。スマートフォン１０を縦にして見たり、横にして見たりする際に、使用者２０の指で、スマートフォンケース１の側面を把持するので、軟質の合成樹脂製の突起３によって、丁度良い刺激になって、指に適度なツボ押し効果が得られる。また、スマートフォン本体１０の機能を使用していない場合でも、肩、首、腰、手、腕、足等のツボをスマートフォンカバーの突起３で押すツボ押し具とすることができる。また、スマートフォンケース１を把持した際に、該突起３は、滑り止めとなるので、スマートフォン１０の落下を防止できて、スマートフォン１０の破損や故障を未然に防ぐことができる。
【００２０】
ツボ押し突起（背面）４は、カバー本体２の背面に一体として備えられている。スマートフォン１０を見る際に、使用者２０の手のひらで、スマートフォンケース１背面を把持するので、軟質の合成樹脂製の突起４によって、丁度良い刺激になって、手のひらに適度なツボ押し効果が得られる。また、スマートフォン本体１０の機能を使用していない場合でも、肩、首、腰、手、腕、足等のツボをスマートフォンカバー１の突起４で押すツボ押し具とすることができる。また、スマートフォンケース１を把持した際に、該突起３は、滑り止めとなるので、スマートフォン１０の落下を防止できて、スマートフォン１０の破損や故障を未然に防ぐことができる。
【００２１】
ツボ押し突起（表表紙面）５は、手帳型スマートフォンカバー１のカバー本体２の表面に一体として備えられている。スマートフォン１０を持ち歩く際に、使用者２０の手のひらや指で、スマートフォンケース１の表面を把持するので、軟質の合成樹脂製の突起５によって、丁度良い刺激になって、手のひらや指に適度なツボ押し効果が得られる。また、スマートフォン本体１０の機能を使用していない場合でも、肩、首、腰、手、腕、足等のツボをスマートフォンカバー１の突起５で押すツボ押し具とすることができる。また、スマートフォンケース１を把持した際に、該突起３は、滑り止めとなるので、スマートフォン１０の落下を防止できて、スマートフォン１０の破損や故障を未然に防ぐことができる。
【００２２】
ツボ押し突起（表表紙の裏面）６は、手帳型スマートフォンカバー１のカバー本体２の表表紙の裏面に一体として備えられている。スマートフォン１０を見る際に、使用者２０の手のひらや指で、スマートフォンケース１の表表紙の裏面を把持するので、軟質の合成樹脂製の突起６によって、丁度良い刺激になって、指先に適度なツボ押し効果が得られる。また、スマートフォンケース１を把持した際に、該突起６は、滑り止めとなるので、スマートフォン１０の落下を防止できて、スマートフォン１０の破損や故障を未然に防ぐことができる。また、スマートフォン１０を使用しない際には、該突起６がスマートフォン１０の画面のクッションの役割を果たし、不測の事態で、画面が傷付いたり、破損したりするのを防止できる。
【００２３】
次に、本考案に係るスマートフォンカバー１の製造方法の一例を説明する。スマートフォンカバー１は、高温にしたシリコーンゴムを金型に射出成型し、カバー本体２と一体になった突起３、４、５、６と製造する。
【００２４】
次に、本考案に係るスマートフォンカバー１の使用方法の一例を図２に基づいて説明する。まず、本考案に係るスマートフォンカバー１をスマートフォン１０に被せる。そして、使用者２０は、スマートフォンカバー１の側面を指で、背面を手のひらで把持することによって、側面の突起３が指の、背面の突起４が手のひらのツボを押すことになるので血行がよくなり、体調がよくなる。また、スマートフォン本体１０の機能を使用していない場合でも、肩、首、腰、手、腕、足等のツボをスマートフォンカバー１の突起３、４で押すツボ押し具とすることができる。また、それぞれの突起３、４が滑り止めの効果を発揮するので、スマートフォン１が誤って落下するのを防止できると共に、万が一落下したとしてもスマートフォンカバー１は、軟質の合成樹脂製なので、スマートフォン１０が破損や故障するのを防止できる。
【００２５】
また、本考案に係るスマートフォンカバー１の別の形態の使用方法の一例を図３に基づいて説明する。まず、本考案に係る手帳型のスマートフォンカバー１をスマートフォン１０に嵌める。そして、使用者２０は、スマートフォンカバー１の表表紙を捲ってから、側面を指で、表表紙の裏面を手のひらで把持することによって、側面の突起３が指の、表表紙の裏面の突起６が手のひらのツボを押すことになるので血行がよくなり、体調がよくなる。また、スマートフォン本体１０の機能を使用していない場合でも、肩、首、腰、手、腕、足等のツボをスマートフォンカバー１の突起３、４、５で押すツボ押し具とすることができる。また、それぞれの突起３、６及び、表紙を閉じた際の表表紙面の突起５、背面の突起４が滑り止めの効果を発揮するので、スマートフォン１が誤って落下するのを防止できると共に、万が一落下したとしてもスマートフォンカバー１は、軟質の合成樹脂製なので、スマートフォン１０が破損や故障するのを防止できる。また、軟質のツボ押し突起（表表紙の裏面）６によって、スマートフォン１０の画面が傷つくのを防止できる。
【産業上の利用可能性】
【００２６】
スマートフォンカバーの分野で広く利用できる。
【符号の説明】
【００２７】
１：スマートフォンカバー
２：カバー本体
３：ツボ押し突起（側面）
４：ツボ押し突起（背面）
５：ツボ押し突起（表表紙面）
６：ツボ押し突起（表表紙の裏面）
１０：スマートフォン
２０：使用者
【図１】
0003212380.tif 000003
【図２】
0003212380.tif 000004
【図３】
0003212380.tif 000005